(57)【要約】【課題】ひとつの散薬投入口から複数の散薬保持部に散薬を投入可能な仕組み提供すること。【解決手段】散薬投入口に対して、第１及び第２の散薬保持部を備え、第１及び第２の散薬保持部のいずれか一方の散薬保持部が、前記散薬投入口に投入される散薬が前記散薬投入口から供給される経路に回転して移動する際には、他方の散薬保持部は、散薬投入口から散薬が供給されない位置に回転して移動する。【選択図】図９
2017006642.tif 000002
【特許請求の範囲】
【請求項１】
散薬を堆積するための環状の溝が形成された溝部材と、
前記溝部材の環状の溝に撒かれる散薬が投入される散薬投入口と、
前記散薬投入口に投入された散薬を保持し前記溝部材の環状の溝に散薬を供給する第１及び第２の散薬保持部と
を備え、
前記第１及び第２の散薬保持部は、前記溝部材の環状の溝により当該環状の溝の内側に形成される円形部に設けられ、前記円形部の中心部を軸に回転可能であり、
前記第１及び第２の散薬保持部のいずれか一方の散薬保持部が、前記散薬投入口に投入される散薬が前記散薬投入口から供給される経路に回転して移動する際には、他方の散薬保持部は、散薬投入口から散薬が供給されない位置に回転して移動する
ことを特徴とする薬剤供給装置。
【請求項２】
分包される錠剤が投入される錠剤投入部を備え、
前記錠剤投入部は、前記散薬保持部が、散薬投入口から散薬が供給されない位置に移動したときに、当該散薬保持部の上部に設けられていることを特徴とする請求項１に記載の薬剤供給装置。
【請求項３】
前記散薬投入口に投入される散薬が前記散薬投入口から供給される経路に設けられ、当該経路を遮断可能な遮断部を更に備え、
前記遮断部は、前記散薬保持部が移動している間は前記経路を遮断し、前記散薬保持部が移動していない間は前記経路を遮断しないことを特徴とする請求項１または２に記載の薬剤供給装置。
【請求項４】
前記散薬投入口の開口部を覆うように設けられ、開閉可能な第１のカバーと、
前記散薬保持部が移動している間は、前記第１のカバーが開かないように当該第１のカバーをロックするロック手段と、
を更に備えることを特徴とする請求項１乃至３のいずれか１項に記載の薬剤供給装置。
【請求項５】
前記溝部材、第１及び第２の散薬保持部の上部に設けられ、当該溝部材、当該第１及び第２の散薬保持部を覆う第２のカバーを備え、
前記散薬投入口は、当該第２のカバーに設けられることを特徴とする請求項１乃至４のいずれか１項に記載の薬剤供給装置。
【請求項６】
錠剤が投入される錠剤投入部を備える薬剤供給装置であって、
散薬を堆積するための環状の溝が形成された溝部材と、
錠剤供給装置を前から見て前記錠剤投入部よりも前方の位置に設けられ、前記溝部材の環状の溝に撒かれる散薬が投入される散薬投入口と、
前記溝部材の環状の溝により当該環状の溝の内側に形成される円形部に設けられ、前記円形部の中心部を軸に回転可能な複数の散薬保持部と、
を備え、
前記錠剤投入部は、前記円形部の重力方向上側の位置に設けられ、
前記散薬保持部は、前記錠剤投入部の重力方向下側の位置と、前記散薬投入口の重力方向下部の位置と、にそれぞれ配置され、
前記錠剤投入部の重力方向下側の位置に配置される前記散薬保持部は、前記円形部の中心部を軸に回転することで、前記散薬投入口の重力方向下部の位置に配置されることを特徴とする薬剤供給装置。
【請求項７】
散薬を堆積するための環状の溝が形成された溝部材と、前記溝部材に撒かれる散薬が投入される散薬投入口と、前記溝部材の環状の溝により当該環状の溝の内側に形成される円形部に設けられ、前記円形部の中心部を軸に回転可能であり、前記散薬投入口に投入された散薬を保持し前記溝部材に散薬を供給する第１及び第２の散薬保持部とを備える薬剤供給装置の制御方法であって、
前記第１及び第２の散薬保持部のいずれか一方の散薬保持部を、前記散薬投入口に投入される散薬が前記散薬投入口から供給される経路に移動させる際に、他方の散薬保持部を、散薬投入口から散薬が供給されない位置に回転させて移動させる移動工程
を備えることを特徴とする薬剤供給装置の制御方法。
【発明の詳細な説明】
【技術分野】
【０００１】
本発明は、薬剤供給装置、薬剤供給装置の制御方法に関し、特に、ひとつの散薬投入口から複数の散薬保持部に散薬を投入可能な仕組みに関する。
【背景技術】
【０００２】
従来、病院等で調剤される散薬の分包に、散薬を堆積するための環状溝を外周部上面に有する分割用回転テーブル（回転テーブル、Ｒ円盤ともいう）を備え、この回転テーブルを回転させた状態で、ユーザによりホッパーに投入された散薬を散薬フィーダーから回転テーブルの環状溝へ撒布供給し（以下、ホッパーと散薬フィーダーをまとめて「散薬保持部」と呼ぶ）、掻出し装置によって環状溝の散薬を適宜設定した分割数で分割して掻き出して包装装置に供給し、包装装置にて散薬を包装する構成の薬剤分包機（以下、単に分包機や、包装装置とも言う）が提供されている。
【０００３】
特許文献１には、回転テーブルに周設された環状溝に散薬保持部から撒布して堆積させた散薬を、分割して前記環状溝から取り出し、包装材を用いて分包する分包機において、環状溝への散薬の撒布時間の短縮を容易にし、散薬の分包時間を短縮する技術が開示されている。
【０００４】
また、特許文献２には、回転テーブルに加え、包装する錠剤を収容する錠剤マスを更に備え、錠剤マスに収容した錠剤と回転テーブルに堆積させた散薬の両方を包装可能な分包機が開示されている。
【先行技術文献】
【特許文献】
【０００５】
【特許文献１】特開２０１０−１７３６５８号公報
【特許文献２】特開２０１４−０８７５４５号公報
【特許文献３】特開２００８−２７２４６１号公報
【発明の概要】
【発明が解決しようとする課題】
【０００６】
ところで、例えば、特許文献２に記載の分包機のように回転テーブルの奥に錠剤投入マスが位置する構成の場合、回転テーブルの奥側に位置する錠剤投入マスの位置がユーザの立ち位置（分包機正面）より遠くなり、錠剤投入マスへの錠剤の投入や投入された錠剤の視認作業がしづらいという課題があった。
【０００７】
錠剤投入マスに投入された錠剤の視認性を上げる技術として、特許文献３に、錠剤投入口の手前側の壁を分包機前方に対して斜めにする技術が記載されているが、特許文献３は、回転テーブルの後方に錠剤投入マスがある構成ではなく、特許文献３に記載の技術を用いたとしても、依然として、上記課題は解決できないことが考えられる。
【０００８】
上述した課題について、例えば、分包機で包装する薬剤の種別や数等の分包内容を入力するためのディスプレイやＰＣ、分包紙に服用タイミングを示す線を引くための線引きユニット等の部材や装置を回転テーブルの奥に配置する場合にも、これらの部材や装置の位置がユーザの立ち位置（分包機正面）より遠くなり、視認作業がしづらいという課題が発生する恐れがあった。
【０００９】
そこで、上記課題を解決すべく、錠剤投入マスや、ディスプレイやＰＣ、分包紙に線を引くための線引きユニット等を分包機前方に位置させることが考えられるが、そうすると、錠剤投入マスや、ディスプレイやＰＣ、分包紙に線を引くための線引きユニット等を前方に移動させた分の散薬投入口（特許文献２の散薬のホッパ投入口Ａ〜Ｃ）のスペースを削る、つまり、散薬投入口の数を減らす必要が生じる。
【００１０】
すると、従来の分包機では、ひとつの散薬投入口に対してひとつの散薬保持部が散薬投入口の下部に位置する構成であるため、散薬保持部の数も減らす必要が生じ、散薬保持部の数を減らすと、減らした散薬保持部の数分、ホッパーに投入された散薬を散薬保持部から環状溝へ撒布する撒布時間が増大する恐れがあった。
【００１１】
本発明は、ひとつの散薬投入口から複数の散薬保持部に散薬を投入可能な仕組み提供することを目的とする。
【課題を解決するための手段】
【００１２】
本発明は、散薬を堆積するための環状の溝が形成された溝部材と、前記溝部材の環状の溝に撒かれる散薬が投入される散薬投入口と、前記散薬投入口に投入された散薬を保持し前記溝部材の環状の溝に散薬を供給する第１及び第２の散薬保持部とを備え、前記第１及び第２の散薬保持部は、前記溝部材の環状の溝により当該環状の溝の内側に形成される円形部に設けられ、前記円形部の中心部を軸に回転可能であり、前記第１及び第２の散薬保持部のいずれか一方の散薬保持部が、前記散薬投入口に投入される散薬が前記散薬投入口から供給される経路に回転して移動する際には、他方の散薬保持部は、散薬投入口から散薬が供給されない位置に回転して移動することを特徴とする。
【００１３】
また、本発明は、散薬を堆積するための環状の溝が形成された溝部材と、前記溝部材に撒かれる散薬が投入される散薬投入口と、前記溝部材の環状の溝により当該環状の溝の内側に形成される円形部に設けられ、前記円形部の中心部を軸に回転可能であり、前記散薬投入口に投入された散薬を保持し前記溝部材に散薬を供給する第１及び第２の散薬保持部とを備える薬剤供給装置の制御方法であって、前記第１及び第２の散薬保持部のいずれか一方の散薬保持部を、前記散薬投入口に投入される散薬が前記散薬投入口から供給される経路に移動させる際に、他方の散薬保持部を、散薬投入口から散薬が供給されない位置に回転させて移動させる移動工程を備えることを特徴とする。
【００１４】
錠剤が投入される錠剤投入部を備える薬剤供給装置であって、散薬を堆積するための環状の溝が形成された溝部材と、錠剤供給装置を前から見て前記錠剤投入部よりも前方の位置に設けられ、前記溝部材の環状の溝に撒かれる散薬が投入される散薬投入口と、前記溝部材の環状の溝により当該環状の溝の内側に形成される円形部に設けられ、前記円形部の中心部を軸に回転可能な複数の散薬保持部と、を備え、前記錠剤投入部は、前記円形部の重力方向上側の位置に設けられ、前記散薬保持部は、前記錠剤投入部の重力方向下側の位置と、前記散薬投入口の重力方向下部の位置と、にそれぞれ配置され、前記錠剤投入部の重力方向下側の位置に配置される前記散薬保持部は、前記円形部の中心部を軸に回転することで、前記散薬投入口の重力方向下部の位置に配置されることを特徴とする。
【発明の効果】
【００１５】
本発明によれば、ひとつの散薬投入口から複数の散薬保持部に散薬を投入可能な仕組み提供することができる。
【００１６】
また、本発明によれば、環状の溝が形成された溝部材に散薬を撒く方式の薬剤供給装置において、錠剤投入部等の部材を設けたとしても、薬剤供給装置の奥行き方向の幅を、当該部材の幅の分長くする必要がないため、薬剤供給装置のコンパクト化が可能となる。
【図面の簡単な説明】
【００１７】
【図１】包装装置と錠剤供給装置を含む薬剤供給システム（分包システム）を示す図である。
【図２】包装ユニットの内部構造を示す図である。
【図３】包装装置５の内部構造が分かるようにした簡易斜視図である。
【図４】包装装置５の簡易斜視図である。
【図５】包装装置５の内部構造が分かるようにした簡易上面図である。
【図６】包装装置５の内部構造が分かるようにした簡易上面図である。
【図７】包装装置５の内部構造が分かるようにした簡易上面図である。
【図８】包装装置５の内部構造が分かるようにした簡易斜視図である。
【図９】包装装置５の上部カバーの簡易斜視図である。
【図１０】包装装置５の内部構造が分かるようにした簡易斜視図である。
【図１１】準備動作の流れを示すフロー図の一例を示す図である。
【図１２】分包動作を行うまでの一連の流れを示すフロー図の一例を示す図である。
【図１３】包装装置５の上部カバーの簡易斜視図である。
【図１４】本発明に係る薬剤供給システムのハードウェアブロック図である。
【発明を実施するための形態】
【００１８】
以下、図面を用いて、本発明の薬剤分包機について説明する。
【００１９】
図１は、供給された薬剤（錠剤、散薬を含む）を包装する包装装置５と、錠剤を取り出して包装装置５（以下、分包装置や、薬剤供給装置、散薬供給装置とも称する）に供給する錠剤供給装置１０（以下、錠剤取出装置とも称する）と、を含む薬剤供給システムを示す図である。
【００２０】
錠剤供給装置１０には、複数の錠剤取出ユニット１が搭載されており、この錠剤取出ユニット１により錠剤シートから錠剤が取り出される。このような錠剤取出ユニット１は、情報処理装置３００や包装装置５に設けられたタッチパネル式のディスプレイ１０１等から分包条件を入力されることで、錠剤の取出動作を行うことができる。
【００２１】
次に、図２を用いて、包装装置５の内部構造について説明する。図２は、包装装置５の内部構造を示す図である。
【００２２】
包装ユニット５０１は、包装装置５内のユニットである。５０２は、包装シートが連なるロール紙（分包紙がロール状になっている紙）を包装機構に送り出すロール紙送出機構である。５０３は、メインホッパー４０６内に集積された薬剤（散薬、錠剤）（１回飲用分の薬剤）が包装シートの中に投入され、当該包装シートを加熱し溶着することにより、包装シートの中に投入された薬剤を、包装シートの中に封入する（包装機構）。そして５０４では、メインホッパー４０６内に集積された薬剤が包装シートの中に投入され、当該包装シートを加熱し溶着することにより、包装シートの中に投入された薬剤を、包装シートの中に封入する（包装機構）。すなわち、包装機構５０３と、包装機構５０４とで、包装シートを加熱し溶着することにより、包装シートの中に投入された薬剤を、包装シートの中に封入する。
【００２３】
５０５は、連なるロール紙を１包毎の包装シートに分断するための分断用ミシン目を包装シートに形成する分断機構である。５０６はプリンタであり、包装シートに、日付、患者データ、エラー情報を印字することができる（印字機構）。
【００２４】
このような図２に示す包装ユニットにより、投薬１回分の錠剤または散薬を包装シートに分包することができる。なお包装シートとしては、表面に熱溶着可能な樹脂材をコーティングした紙のみならず、中身を視認することができる透明なフィルム材を用いることもできる。
【００２５】
次に、図３〜図６を用いて、従来の包装装置５の課題について説明する。図３は従来の包装装置５の内部構造が分かるようにした簡易斜視図である。
【００２６】
包装装置５は、特許文献１に記述の通り（具体的には特許文献１の段落［００１１］〜段落［００３５］等を参照）、散薬の撒布時間の短縮を図り、散薬の分包時間を短縮させる為に、環溝（本願発明における溝部材）を備えた回転テーブル３０１の内側に回転可能に備えられ、回転テーブル３０１の回転時に、環溝に回転部散薬投入ホッパー３０５に投入された散薬を撒布する回転部散薬フィーダー３０４（特許文献１の「散薬フィーダー」がこれに当たる）と、この回転部散薬フィーダー３０４を回転テーブルとは逆向きに回転させるフィーダー回転機構３０２と、回転テーブル３０１の回転に連動して、回転テーブル３０１に供給された散薬を外方に定量的に掻き出してメインホッパー４０６に供給する掻出装置３０６と、この掻出装置３０６によって掻き出された散薬を包装する包装ユニット５０１を備えている。
【００２７】
回転テーブル３０１は、本発明における、散薬を堆積するための環状の溝が形成された溝部材の一例である。
【００２８】
さらに、複数の種類の散薬を同時に撒布するために、回転テーブル３０１の内側に複数の回転部散薬フィーダー３０４とそれらと同数の回転部散薬投入ホッパー３０５を備えている。
【００２９】
なお、図３では、包装装置５は、回転部散薬投入ホッパー３０５を２個備えている。図３の包装装置５に上部カバー４０４をかぶせた図が図４であり、ここから図４について説明する。
【００３０】
図４は従来の包装装置５の簡易斜視図である。包装装置５本体の上部カバー４０４には、包装装置５内部の回転部散薬投入ホッパー３０５と同数の回転部散薬投入口４０１が備えられている。
【００３１】
回転部散薬投入ホッパー３０５は、待機状態（薬剤分包動作等の動作を行っていない状態）のときに、回転部散薬投入口４０１の下部に位置するように（この位置を初期位置と呼ぶ）、包装装置５のＣＰＵ３５１によって制御される。
【００３２】
回転部散薬投入ホッパー３０５が初期位置にあるか否かは、回転テーブル３０１の下部に設けられる磁気センサによって検出する。ユーザは、回転部散薬投入ホッパー３０５が初期位置にある時に、回転部散薬投入口４０１に散薬を投入する。
【００３３】
なお、ユーザは、固定部散薬投入口４０２（特許文献１の「散薬フィーダー７０」がこれに当たる）に散薬を投入することも可能であり、固定部散薬投入口４０２の下には、固定部散薬投入ホッパー３０３が備えられており、その下には、回転テーブル３０１の回転時に環溝に散薬を撒布する固定部散薬フィーダー５１１が備えられている。なお、本発明において、固定部散薬投入口４０２は必須の構成ではない。
【００３４】
ここで、従来の包装装置５における錠剤投入マス４０３、錠剤搬送ユニット５１０、各ホッパー、および各フィーダーの相対的な位置関係について図５を用いて説明する。
【００３５】
図５は従来の包装装置５の内部構造が分かるようにした簡易上面図である。包装装置５内部には、錠剤搬送ユニット５１０が備えられている。錠剤搬送ユニット５１０は錠剤投入マス４０３の下に位置しており、錠剤投入マス４０３に投入された錠剤は、錠剤搬送ユニット５１０に送り込まれる。そして、錠剤搬送ユニット５１０は錠剤を搬送し、錠剤ホッパー５１２へ送り込む。錠剤はさらに移送され、メインホッパー４０６に送り込まれる。
【００３６】
図４や図５に示すとおり、回転部散薬投入口４０１を、回転テーブル３０１の内側に備えられている回転部散薬投入ホッパー３０５初期位置の上部に確保する為、回転部散薬投入口４０１の後方に位置する錠剤投入マス４０３および錠剤投入マス４０３の下に位置する錠剤搬送ユニット５１０の位置が、ユーザの立ち位置（包装装置５の正面）より遠くなり、ユーザによる錠剤投入マス４０３への錠剤の投入や、投入された錠剤のユーザによる視認作業が行いにくいという課題があった。上記課題は、特に背が低いユーザにとっては顕著であった。
【００３７】
よって、錠剤投入マス４０３を包装装置５の前方に位置させたいが、包装装置５の前方には回転部散薬投入口４０１があるため、錠剤投入マス４０３を、前方に位置させることが出来なかった。
【００３８】
次に、図６を用いて、従来の包装装置５で、上述した課題を解決すべく錠剤投入マス４０３を包装装置５の前方に位置させた場合の課題について説明する。
【００３９】
図６は包装装置５の内部構造が分かるようにした簡易上面図である。錠剤投入マス４０３を包装装置５の前方に位置させると、その下の錠剤搬送ユニット５１０も錠剤投入マス４０３の位置に追従して包装装置５の前方に位置するので、従来の包装装置５における回転部散薬投入ホッパー３０５の初期位置では、錠剤搬送ユニット５１０が回転部散薬投入ホッパー３０５の上部を塞いでしまうという新たな課題が発生してしまう。
【００４０】
その結果、錠剤搬送ユニット５１０が妨げとなって、回転部散薬投入口４０１から回転部散薬投入ホッパー３０５へ散薬を投入することが出来なくなるため、図６のように、錠剤投入マス４０３を包装装置５の前方に移動させることが出来なかった。
【００４１】
そこで以下、図７〜図１１を用いて、上述したような課題を解決する仕組みについて説明する。
【００４２】
図７は、本発明の第１の実施形態における包装装置５の内部構造が分かるようにした簡易上面図であり、図８は、本発明の第１の実施形態における包装装置５の内部構造が分かるようにした簡易斜視図である。
【００４３】
図７、図８に示すように、本発明では、フィーダー回転機構３０２が初期位置にある場合に、散薬を投入する回転部散薬投入ホッパー３０５の位置を出来るだけ包装装置５の前方に位置するようにし、回転部散薬投入ホッパー３０５の開口部上部を塞がない位置まで、錠剤搬送ユニット５１０を包装装置５の前方に位置させた。
【００４４】
回転部散薬投入ホッパー３０５は、本発明における、前記溝部材の環状の溝により当該環状の溝の内側に形成される円形部に設けられ、前記円形部の中心部を軸に回転可能であり、前記散薬投入口に投入された散薬を保持し前記溝部材の環状の溝に散薬を供給する第１及び第２の散薬保持部の一例である。また、回転部散薬投入ホッパー３０５は、前記錠剤投入部の重力方向下側の位置と、前記散薬投入口の重力方向下部の位置と、にそれぞれ配置され、前記溝部材の環状の溝により当該環状の溝の内側に形成される円形部に設けられ、前記円形部の中心部を軸に回転可能な複数の散薬保持部の一例である。
【００４５】
図１０は、本発明の第２の実施形態における包装装置５の内部構造が分かるようにした簡易斜視図である。
【００４６】
図１０において、図７や図８の包装装置５と異なる点は、包装装置５の回転テーブル３０１内に、回転部散薬投入ホッパー３０５が３個配置されている点である。
【００４７】
図９は包装装置５の上部カバーの簡易斜視図である。
【００４８】
上部カバー４０４に備える回転部散薬投入口４０１を一つとした。そしてその位置は、包装装置５内部のフィーダー回転機構３０２が初期位置にある時に、錠剤搬送ユニット５１０と重なっていない回転部散薬投入ホッパー３０５の上とさせた。同じく、錠剤投入マス４０３は、錠剤搬送ユニット５１０の上に重なるように配置させた。
【００４９】
上部カバー４０４は、本発明における、溝部材、第１及び第２の散薬保持部の上部に設けられ、当該溝部材、当該第１及び第２の散薬保持部を覆う第２のカバーの一例である。
【００５０】
錠剤搬送ユニット５１０は、本発明における、前記散薬保持部が、散薬投入口から散薬が供給されない位置に移動したときに、当該散薬保持部の上部に設けられ、分包される錠剤が投入される錠剤投入部の一例である。また、錠剤搬送ユニットは、本発明における、の一例である。なお、錠剤投入マス４０３を錠剤投入部としても良い。
【００５１】
回転部散薬投入口４０１は、本発明における、溝部材の環状の溝に撒かれる散薬が投入される散薬投入口の一例である。また、回転部散薬投入口４０１は、本発明における、円形部の重力方向上側の位置に設けられ、錠剤供給装置を前から見て前記錠剤投入部よりも前方の位置に設けられ、前記溝部材の環状の溝に撒かれる散薬が投入される散薬投入口の一例である。
【００５２】
フィーダー回転機構３０２が初期位置にある時、錠剤搬送ユニット５１０は一つの回転部散薬投入ホッパー３０５の上部開口部を塞がない位置に配置されているので、上部カバー４０４の錠剤投入マス４０３は、一つしかない回転部散薬投入口４０１の上部の開口部を塞がない。
【００５３】
よって、回転テーブル３０１内に複数の回転部散薬投入ホッパー３０５を備える場合であっても、上部カバー４０４の回転部散薬投入口４０１を塞がない範囲で、錠剤投入マス４０３を包装装置５の前方側へ配置させることが可能となり、ユーザは錠剤投入マス４０３への錠剤の投入や投入された錠剤の視認作業が行いやすくなるという効果を得ることが可能となる。
【００５４】
図８〜図１０に示すとおり、錠剤搬送ユニット５１０を包装装置５の前方に位置させたことにより、フィーダー回転機構３０２が初期位置にあるとき、１つの回転部散薬投入ホッパー３０５を除き、その他の回転部散薬投入ホッパー３０５上部の開口部の全部または一部が、錠剤搬送ユニット５１０の下に重なるように入り込む。
【００５５】
その結果、複数ある回転部散薬投入ホッパー３０５のうち、上部の開口部の全部または一部を錠剤搬送ユニット５１０で覆われた回転部散薬投入ホッパー３０５に散薬を投入出来なくなるが、以下の方法でこれらの回転部散薬投入ホッパー３０５に散薬を投入可能とさせるようにした。
【００５６】
まず、一つの回転部散薬投入口４０１で複数の回転部散薬投入ホッパー３０５にユーザが散薬を投入する第１の方法について図８、図９の図面を用いて説明する。
【００５７】
まず、初期位置にある一つの回転部散薬投入ホッパー３０５に、ユーザが回転部散薬投入口４０１から散薬を投入すると、ユーザは、図９のフィーダー回転機構動作スイッチ９０１を押下する。
【００５８】
次に、包装装置５は、ユーザによってフィーダー回転機構動作スイッチ９０１が押下されたことを検出すると、図８のフィーダー回転機構３０２を動作させ、回転部散薬投入口４０１の下に位置していない回転部散薬投入ホッパー３０５を回転部散薬投入口４０１の下に位置するように移動させる。
【００５９】
つまり、第１及び第２の散薬保持部のいずれか一方の散薬保持部が、前記散薬投入口に投入される散薬が前記散薬投入口から供給される経路に回転して移動する際には、他方の散薬保持部は、散薬投入口から散薬が供給されない位置に回転して移動する。
【００６０】
そして、回転部散薬投入口４０１から、回転部散薬投入口４０１の下に位置するように移動させた回転部散薬投入ホッパー３０５へ散薬を投入させる。
【００６１】
本願発明の第２の実施形態のように、回転部散薬投入ホッパー３０５を３個以上備えている場合は、この動作を連続させることにより、最初に回転部散薬投入口４０１の下に位置していた回転部散薬投入ホッパー３０５以外の他の回転部散薬投入ホッパー３０５にも散薬を投入可能とする。
【００６２】
なお、初期位置にある回転部散薬投入ホッパー３０５は、本願発明における、散薬投入口に対して、散薬投入口に投入される散薬が散薬投入口から供給される経路に位置する第１の散薬保持部の適用例である。
【００６３】
また、回転部散薬投入口４０１の下に位置していない回転部散薬投入ホッパー３０５は、散薬投入口に投入される散薬が前記散薬投入口から供給される経路ではない位置に位置する第２の散薬保持部の適用例である。
【００６４】
また、ユーザによってフィーダー回転機構動作スイッチ９０１が押下されたことを検出する動作、および、後述する重量センサで散薬の投入が完了したことを検出する動作は、本願発明における、第２の散薬保持部を第１の散薬保持部の位置に移動するための指示を受け付ける受付手段の適用例である。
【００６５】
また、フィーダー回転機構３０２を動作させ、回転部散薬投入口４０１の下に位置していない回転部散薬投入ホッパー３０５を回転部散薬投入口４０１の下に位置するように移動させる動作は、本願発明における、受付手段により第２の散薬保持部を第１の散薬保持部の位置に移動させるための指示を受け付けた場合に、第２の散薬保持部を散薬投入口に投入される散薬が散薬投入口から供給される経路に移動させる移動手段の適用例である。
【００６６】
以上のように、回転部散薬投入ホッパー３０５を回転させて、順次、回転部散薬投入口４０１の下に位置するように制御することにより、たとえ、回転部散薬投入口４０１がひとつしかなかったとしても、それぞれの回転部散薬投入ホッパー３０５にユーザが散薬を投入することが可能となる。
【００６７】
なお、一つの回転部散薬投入口４０１で複数の回転部散薬投入ホッパー３０５にユーザが散薬を投入する第２の方法として、回転部散薬フィーダー３０４の下には図示していない重量センサが備えられているので、初期位置にある回転部散薬投入ホッパー３０５に散薬が投入され、投入完了したことを重量センサで検知したら、自動でフィーダー回転機構３０２を回動させても良い。
【００６８】
また、図１３に示すように、ユーザによってフィーダー回転機構動作スイッチ９０１が押下された場合や重量センサで散薬の投入が完了したことを検出した場合に、図８のフィーダー回転機構３０２を動作させ、回転部散薬投入口４０１の下に位置していない回転部散薬投入ホッパー３０５を回転部散薬投入口４０１の下に位置するように移動させるときに、回転部散薬投入口４０１を覆っている散薬投入口カバー１３０１をロックしても良い。
【００６９】
図１３（ａ）は、包装装置５の上部カバーの簡易斜視図である。図１３（ａ）に示すとおり、散薬投入口カバー１３０１は、回転部散薬投入口４０１を覆うように構成され、回転部散薬投入口４０１に埃等のごみが入ることを防ぐ。
【００７０】
散薬投入口カバー１３０１は、本発明における、散薬投入口の開口部を覆うように設けられ、開閉可能な第１のカバーの一例である。
【００７１】
また、散薬投入口カバー１３０１は、図１３（ｂ）に示すとおり、散薬投入口カバー１３０１の下部に設けられたロック穴１３０２に、ソレノイド１３０３の先端に備えられる左右に移動自在な突起を挿入することによりロックすることが可能である。
【００７２】
ロック穴１３０２、およびソレノイド１３０３は、散薬保持部が移動している間は、前記第１のカバーが開かないように当該カバーをロックするロック手段の一例である。
【００７３】
ユーザによってフィーダー回転機構動作スイッチ９０１が押下された場合や、重量センサで散薬の投入が完了したことを検出した場合に、図８のフィーダー回転機構３０２を動作させ、回転部散薬投入口４０１の下に位置していない回転部散薬投入ホッパー３０５を回転部散薬投入口４０１の下に位置するように移動させるときには、包装装置５のＣＰＵ３５１はソレノイド１３０３を制御し、ロック穴１３０２にソレノイド１３０３の先端の突起を挿入することで散薬投入口カバー１３０１をロックする。
【００７４】
また、図１３（ａ）に示すとおり、回転部散薬投入口４０１には、シャッターのような開閉部材１３０４が設けられている。
【００７５】
開閉部材１３０４は、ソレノイド１３０３による散薬投入口カバー１３０１のロック同様に、ユーザによってフィーダー回転機構動作スイッチ９０１が押下された場合や、重量センサで散薬の投入が完了したことを検出した場合に、図８のフィーダー回転機構３０２を動作させ、回転部散薬投入口４０１の下に位置していない回転部散薬投入ホッパー３０５を回転部散薬投入口４０１の下に位置するように移動させるときには、包装装置５のＣＰＵ３５１によって、開閉部材１３０４を閉じるように制御される。
【００７６】
開閉部材１３０４は、本発明における、前記散薬投入口に投入される散薬が前記散薬投入口から供給される経路に設けられ、当該経路を遮断可能な遮断部の一例であって、前記遮断部は、前記散薬保持部が移動している間は前記経路を遮断し、前記散薬保持部が移動していない間は前記経路を遮断しない。
【００７７】
回転部散薬投入ホッパー３０５が回転している間、ソレノイド１３０３により散薬投入口カバー１３０１をロックしたり、開閉部材１３０４を閉じたりすることで、回転部散薬投入口４０１の下に回転部散薬投入ホッパー３０５、および回転部散薬フィーダー３０４がないときに、ユーザが誤って散薬を投入してしまう可能性を低減することが可能となる。以上で、図１３の説明を終了する。
【００７８】
次に、図１１、図１２を用いて、先述した第２の方法を包装装置５が実行するためのフローチャートについて説明する。まず、図１２について説明する。
【００７９】
図１２は、包装装置５が分包動作を行うまでの一連の流れを示すフロー図の一例を示す図である。図１２に示す各ステップは、包装装置５のＣＰＵ３５１によって実行される。
【００８０】
ステップＳ１２０１において、包装装置５は、包装装置５上のタッチパネル式ディスプレイ１０１に基本画面を表示する。基本画面は、分包する薬剤の種類の入力、分包数の入力や分包動作の開始・停止の入力をユーザから受け付ける画面である。
【００８１】
ステップＳ１２０２において、包装装置５は、散薬を分包する場合に、ユーザから散薬の投入を受け付ける処理を実行する。ステップＳ１２０２の詳細な処理については、図１１を用いて後ほど説明する。
【００８２】
ステップＳ１２０３において、包装装置５は、ステップＳ１２０１でディスプレイ１０１に表示した基本画面を介してユーザから操作を受け付ける。
【００８３】
ステップＳ１２０４において、ステップＳ１２０３において、ステップＳ１２０３でユーザから分包動作の開始の指示を受け付けたか否かを判定する。
【００８４】
包装装置５は、ステップＳ１２０４において、ディスプレイ１０１に表示した基本画面を介して分包動作の開始指示を受け付けたと判定したならばステップＳ１２０５の処理に移行し、ステップＳ１２０４において、分包動作の開始指示を受け付けたと判定しなければ、その他処理を実行し（分包する薬剤の種類の入力の受け付け、分包数の入力の受け付け、その他包装装置の本体設定の入力の受け付け等）、分包動作の開始指示を受け付けるまで待機する。
【００８５】
ステップＳ１２０５において、包装装置５は、ステップＳ１２０３で入力を受け付けた薬剤の種類に、散薬を含むか否かを判定し、散薬を含む場合はステップＳ１２０６の処理を実行し、散薬を含まない場合には、ステップＳ１２１３で錠剤の包装動作を実行する。
【００８６】
なお、ステップＳ１２１３で包装する錠剤は、錠剤投入マス４０３にユーザから投入された錠剤、または錠剤取出しユニット１により錠剤シートから取り出した錠剤である。
【００８７】
ステップＳ１２０６において、包装装置５は、回転テーブル３０１の回転を開始する。包装装置５は、回転テーブル３０１上に散薬を均一に撒布するよう、散薬が遠心力によって飛び出さない回転速度で高速回転させる。
【００８８】
ステップＳ１２０７において、包装装置５は、回転部散薬フィーダー３０４および固定部散薬フィーダーの動作（回転部散薬投入ホッパー３０５および固定部散薬投入ホッパー３０３に投入された散薬を回転テーブル３０１上に落下させる動作）を開始し、回転部散薬投入ホッパー３０５および固定部散薬投入ホッパー３０３に投入された散薬を回転テーブル３０１上に落下させる。この動作は、従来の方法と同様であるため、説明を省略する。
【００８９】
ステップＳ１２０８において、包装装置５は、回転部散薬フィーダー３０４および固定部散薬フィーダーの排出口付近に位置する図示しない散薬検出センサにより散薬の落下を検出し、回転部散薬フィーダー３０４および固定部散薬フィーダー上の散薬の有無を判定する。散薬がすべて無くなればＳ１２０９へ移行する。
【００９０】
ステップＳ１２０９において、包装装置５は、回転部散薬フィーダー３０４の回転を停止する。
【００９１】
ステップＳ１２１０において、包装装置５は、回転テーブル３０１を回転させると同時に、掻出装置３０６により散薬を外周へ向けて掻き出す。掻き出された散薬は包装ユニット５０１に供給される。ステップＳ１２１０において、包装装置５により掻き出す回数はステップＳ１２０３でユーザにより入力された分包数分である。
【００９２】
ステップＳ１２１１において、包装装置５は、掻出装置３０６により掻き出された散薬を包装シート内に包装する。
【００９３】
ステップＳ１２１２において、包装装置５は、ステップＳ１２０３でユーザにより入力された分包数分の散薬を掻出装置３０６により掻き出し、包装したかを判断する。
【００９４】
包装装置５は、ステップＳ１２０３でユーザにより入力された分包数分の散薬を掻出装置３０６により掻き出し、包装が完了したと判断した場合には本処理を終了し、ステップＳ１２０３でユーザにより入力された分包数分の散薬を掻出装置３０６により掻き出し、包装していなければ、ステップＳ１２０３でユーザにより入力された分包数分の散薬を掻出装置３０６により掻き出し、包装するまで、掻き出し動作・包装動作を続ける。以上で、図１２の説明を終了する。
【００９５】
次に、図１２のステップＳ１２０２の詳細な処理について、図１１を用いて説明する。図１１は、回転テーブル３０１上に散薬を撒布する等の包装動作を行う前の準備動作の流れを示している。図１１は、図１２のステップＳ１２０２で呼び出されるサブフロー処理である。
【００９６】
図１１は、図１２のステップＳ１２０２で呼び出されるサブフローであり、図１１の各ステップは、包装装置５のＣＰＵ３５１によって実行される。
【００９７】
ステップＳ１１０１において、包装装置５は、待機状態（＝薬剤分包等の動作を行っていない状態）になるとステップＳ１１０２−１以降の処理を開始し、待機状態以外になると図１１の処理を終了する。
【００９８】
ステップＳ１１０２−１において、包装装置５は、散薬投入口カバー１３０１が開いているか否かを不図示のカバー検出センサの検出結果により判定する。散薬投入口カバー１３０１が開いていると判定した場合には、包装装置５は、ステップＳ１１０２に処理を移行し、散薬投入口カバー１３０１が閉まっていると判定した場合には、包装装置５は、ステップＳ１１０１に処理を戻す。
【００９９】
ステップＳ１１０２において、ユーザによって散薬が回転部散薬投入ホッパー３０５へ投入されると、重量センサにより回転部散薬フィーダー３０４の重量増加を検出する。
【０１００】
なお、ステップＳ１１０２で、重力センサにより回転部散薬フィーダー３０４の重量増加を検出しない場合には、ステップＳ１１０１に処理を戻す。錠剤を分包する場合には、ステップＳ１１０２において、包装装置５はＮｏと判断し、ステップＳ１１０１に処理を戻し、ディスプレイ１０１に表示した基本画面を介してユーザから包装動作開始の入力を受け付けることで、ステップＳ１１０１で包装装置５はＮｏと判断し、図１１の処理を終了する。
【０１０１】
続いて、ステップＳ１１０３において、包装装置５は、重力センサによる回転部散薬フィーダー３０４の重量増加の検出状況を一定時間監視し、重力増加があれば、ユーザから追加の散薬投入があったと判断して、ステップＳ１１０４−１に処理を先に進めず、一定時間重力増加がなければ、ユーザによる投入作業は終了したと判断し、ステップＳ１１０４−１に処理を進める（本願発明における受付手段）。
【０１０２】
ステップＳ１１０４−１において、包装装置５は、散薬投入口カバー１３０１が閉まっているかをカバー検出センサの検出結果により判定する。散薬投入口カバー１３０１が閉まっていると判定した場合には、包装装置５は、ステップＳ１１０４に処理を移行し、散薬投入口カバー１３０１が閉まっていないと判定した場合には、包装装置５は、ユーザにより散薬投入口カバー１３０１が閉められるまで待機する。
【０１０３】
ステップＳ１１０４において、包装装置５は、散薬投入口カバー１３０１をロックし、ステップＳ１１０５において、ステップＳ１１０２で散薬が投入された回転部散薬投入ホッパー３０５、および回転部散薬フィーダー３０４を、回転部散薬投入口４０１に投入される散薬が供給されない位置に移動し、換わりに回転部散薬投入口４０１に投入される散薬が供給されない位置にある回転部散薬投入ホッパー３０５、および回転部散薬フィーダー３０４を、回転部散薬投入口４０１に投入される散薬が供給される位置に移動させる（本願発明における移動手段）。
【０１０４】
そして、ステップＳ１１０６において、包装装置５は、散薬投入口カバー１３０１のロックを解除する。
【０１０５】
ステップＳ１１０４において、包装装置５が、散薬投入口カバー１３０１をロックすることにより、ステップＳ１１０５で、回転部散薬投入ホッパー３０５、および回転部散薬フィーダー３０４が回転している間、つまり、回転部散薬投入口４０１の下に回転部散薬投入ホッパー３０５、および回転部散薬フィーダー３０４がないときに、ユーザが誤って散薬を投入してしまう可能性を低減することが可能となる。
【０１０６】
また、ステップＳ１１０５で、ユーザによる散薬の投入が終わった回転部散薬投入ホッパー３０５、および回転部散薬フィーダー３０４と、まだ散薬が投入されていない回転部散薬投入ホッパー３０５、および回転部散薬フィーダー３０４とを、入れ替えることにより、錠剤投入マス４０３を包装装置５の前方側へ配置させたことで回転部散薬投入口４０１がひとつしか設けられないとしても、複数の回転部散薬投入ホッパー３０５、および回転部散薬フィーダー３０４に散薬を投入することが可能となる。
【０１０７】
なお、先述したユーザの指示に従って回転部散薬投入ホッパー３０５を回転させる第１の方法の場合、ステップＳ１１０１〜ステップＳ１１０３までの処理を実行することなく、ユーザによって図９のフィーダー回転機構動作スイッチ９０１が押下されたことを包装装置５が検出すると、ステップＳ１１０４−１〜ステップＳ１１０６の処理を実行し、図１２のステップＳ１２０１でディスプレイ１０１に表示した基本画面を介してユーザから包装動作開始の入力を受け付けると、図１２のステップＳ１２０４以降の処理を実行する。
【０１０８】
なお、開閉部材１３０４は、ステップＳ１１０４で散薬投入口カバー１３０１をロックするタイミングで、包装装置５により開閉部材１３０４も閉まるように制御され、それ以外のＳ１１０１〜Ｓ１１０３、Ｓ１１０６の処理を実行する間は包装装置５により開くように制御される。以上で図１１の説明を終了する。
【０１０９】
ここで、錠剤供給システムのハードウェア構成の一例について図１４を用いて説明する。
【０１１０】
図１４では、情報処理装置３００のＣＰＵ３３０と、包装装置５のＣＰＵ３５１と、錠剤供給装置１０のＣＰＵ３１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。
【０１１１】
まず情報処理装置３００のハードウェア構成について説明する。情報処理装置３００のＣＰＵ３３０は、システムバスに接続される各デバイスやコントローラを統括的に制御することができる。また、ＲＯＭ３３１あるいは外部メモリ３３６には、ＣＰＵ３３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３３は、ＣＰＵ３３０の主メモリ、ワークエリア等として機能する。ＣＰＵ３３０は、処理の実行に際して必要なプログラム等をＲＡＭ３３３にロードして、プログラムを実行することで各種動作を実現するものである。
【０１１２】
また、ＣＰＵ３３０は、キーボードや不図示のマウス等の入力端末からの入力を制御する。ビデオコントローラ（ＶＣ）は、ディスプレイ３３４等の表示部への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）メモリ等の外部メモリ３３６へのアクセスを制御することもできる。
【０１１３】
またＩ／Ｆ３２０は、ネットワークを介して外部機器と接続・通信するものであり、本実施形態においては包装装置５のＩ／Ｆ３５０と通信可能に接続されている。
【０１１４】
次に、包装装置５のハードウェア構成について説明する。包装装置５のＣＰＵ３５１は、バスに接続されている各デバイスを統括的に制御することができる。ＲＯＭ３５２にはＣＰＵ３５１の制御ブログラムや各種制御プログラムが記憶されている。ＲＡＭ３５３は、ＣＰＵ３５１が動作するためのシステムワークメモリとして機能する。ＣＰＵ３５１は、タッチパネル式のディスプレイ１０１に対して表示制御したり、ディスプレイ１０１のタッチパネル機能を入力端末３６２としてユーザから情報の入力を受け付けたり、プリンタ７０６に印刷指示を出したりすることもできる。さらにＣＰＵ３５１は、包装装置５の散薬投入口から投入された散薬を１包に包装する際に動作させる散薬分包機構３５５を制御したり、ユーザから錠剤投入マス４０３に投入された錠剤を包装する際に動作させる手撒き投入機構３５６を制御したりすることができる。そして包装装置５と錠剤供給装置１０とは、包装装置５のＩ／Ｏ３５４と錠剤供給装置１０のＩ／Ｏ３１２とで通信可能に接続されている。
【０１１５】
次に、錠剤供給装置１０のハードウェア構成について説明する。錠剤供給装置１０のＣＰＵ３１１は、バスに接続されている各デバイスを統括的に制御することができる。ＲＯＭ３１４にはＣＰＵ３１１の制御ブログラムや各種制御プログラムが記憶されている。ＲＡＭ３１３は、ＣＰＵ３１１が動作するためのシステムワークメモリとして機能する。ＣＰＵ３１１は、さらに錠剤取出機構１５における取出動作を制御したり、錠剤シートを搬送する搬送機構１６を制御したりすることもできる。
【０１１６】
このようなハードウェア構成においては、以下のように錠剤取出を行うように制御することができる。まず包装装置５のＣＰＵ３５１が、錠剤供給装置１０のＣＰＵ３１１に対して、錠剤の取出動作命令を送信する。そして、錠剤供給装置１０のＣＰＵ３１１が、当該取出動作命令に従って、錠剤取出機構１５や搬送機構１６を制御して錠剤取出動作を行わせることができる。また、錠剤供給装置１０のＣＰＵ３１１は、包装装置５のＣＰＵ３５１に対して、錠剤取出動作の状況を示す動作情報を送信することもできる。
【０１１７】
以上、本発明によると、ひとつの散薬投入口から複数の散薬保持部に散薬を投入可能な仕組み提供することができる。
【０１１８】
また、散薬投入口を塞がない範囲で、錠剤マスを本体の手前側に位置させるので、ユーザは錠剤投入マスへの錠剤の投入がしやすくなるし、錠剤投入マスへ投入した錠剤の視認性をあげることができる。
【０１１９】
上述した本発明の実施形態を構成する各手段及び各ステップは、コンピュータのＲＡＭやＲＯＭ等に記憶されたプログラムが動作することによって実現できる。装置が読み取り実行可能なこのプログラム及び前記プログラムを記録したコンピュータ読み取り可能な記録媒体は本発明に含まれる。
【０１２０】
また、本発明は、例えば、システム、装置、方法、プログラムもしくは記録媒体等としての実施形態も可能であり、具体的には、一又は複数の機器からなる装置に適用してもよい。
【０１２１】
本実施形態では、情報処理装置３００、包装装置５、錠剤供給装置１０をそれぞれ分けた筐体として説明したが、これらを一体型にした包装装置、又は錠剤供給装置とすることもできる。
【０１２２】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【０１２３】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１２４】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１２５】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【０１２６】
１  錠剤取出ユニット
５  包装装置
１０  錠剤供給装置
１０１  タッチパネル式のディスプレイ
１０２  手撒き投入部
１０３  散薬投入部
３００  情報処理装置  
３０１  回転テーブル  
３０２  フィーダー回転機構
３０３  固定部散薬投入ホッパー
３０４  回転部散薬フィーダー
３０５  回転部散薬投入ホッパー
３０６  掻出装置
４００  錠剤供給ユニット  
４０１  回転部散薬投入口
４０２  固定部散薬投入口
４０３  錠剤投入マス  
４０４  上部カバー
４０６  メインホッパー
５０１  包装ユニット
５０２  ロール紙
５０３  包装機構
５０４  包装機構  
５０５  分断機構  
５０６  プリンタ
５１０  錠剤搬送ユニット
５１１  固定部散薬フィーダー
５１２  錠剤ホッパー
【図１】
2017006642.tif 000003
【図２】
2017006642.tif 000004
【図３】
2017006642.tif 000005
【図４】
2017006642.tif 000006
【図５】
2017006642.tif 000007
【図６】
2017006642.tif 000008
【図７】
2017006642.tif 000009
【図８】
2017006642.tif 000010
【図９】
2017006642.tif 000011
【図１０】
2017006642.tif 000012
【図１１】
2017006642.tif 000013
【図１２】
2017006642.tif 000014
【図１３】
2017006642.tif 000015
【図１４】
2017006642.tif 000016